(57)【要約】      （修正有）【課題】芯棒打ち込みアンカーボルト用ハンドホルダーを提供する。【解決手段】下端面部４に有るＣ面形状３の下円筒部２の下部内径５は芯棒打ち込みアンカーボルト１０の調整ナット１２に被せた際にガタツキの無い一定の大きさで調整ナット１２を保持し、又下端面部４は、そのＣ面形状３でワッシャー１１を押さえるように形成され、更に調整ナット１２、ワッシャー１１及び雄ねじ１３全体を充分に覆うことの出来る高さを有するよう下円筒部２は構成されており、一方の上端面部６においては、芯棒打ち込みアンカーボルト１０の芯棒１４の頭に打ち棒を当ててハンマーにて打ち込むための一定の上部内径５Ａを有する打ち棒のためのガイド用円筒部２Ａが設けられており、これら下円筒部２とガイド用円筒部２Ａとが１０ｍｍから２０ｍｍの範囲内の長さのテーパー形状の円筒部２Ｂで一体形成されている。【選択図】図６
0003219996.tif 000002
【実用新案登録請求の範囲】
【請求項１】
複数の円筒形状から成る芯棒打ち込みアンカーボルト用ハンドホルダー（１）であって、下端面部（４）に有るＣ面形状（３）の下円筒部（２）の下部内径（５）は芯棒打ち込みアンカーボルト（１０）の調整ナット（１２）に被せた際にガタツキの無い一定の大きさで調整ナット（１２）を保持し、又下端面部（４）は、そのＣ面形状（３）でワッシャー（１１）を押さえるように形成され、更に調整ナット（１２）、ワッシャー（１１）及び雄ねじ（１３）全体を充分に覆うことの出来る高さを有するよう該下円筒部（２）は構成されており、一方の上端面部（６）においては、芯棒打ち込みアンカーボルト（１０）の芯棒（１４）の頭に打ち棒（２０）を当ててハンマーにて打ち込むための一定の上部内径（５Ａ）を有する打ち棒（２０）のためのガイド用円筒部（２Ａ）が設けられており、これら下円筒部（２）とガイド用円筒部（２Ａ）とが１０ｍｍから２０ｍｍの範囲内の長さのテーパー形状の円筒部（２Ｂ）で一体形成されていることを特徴とする芯棒打ち込みアンカーボルト用ハンドホルダー（１）。
【考案の詳細な説明】
【技術分野】
【０００１】  本考案は、芯棒打ち込みアンカーボルト用ハンドホルダーに関し、特に芯棒に打ち棒を当ててアンカーボルトを設置する際に正確、安全に芯棒打ち込みアンカーボルトを設置出来る芯棒打ち込みアンカーボルト用ハンドホルダーに関するものである。
【背景技術】
【０００２】  従来の芯棒打ち込みアンカーボルト用ハンドホルダーは芯棒打ち込みアンカーボルトのワッシャーやボルト部分に先端部をあてがい、反対にバネなどの手段で出ている打ち棒部をハンマーで打ちつけて設置している。【０００３】  なお一方で握りグリップが付いた芯棒打ち込みアンカーボルト用ハンドホルダーが有るが、特に芯棒打ち込みアンカーボルトのワッシャーや調整ナットにあてがう部分においては一定のストレートの円筒形のみで構成されているものがほとんどである。
【考案の概要】
【考案が解決しようとする課題】
【０００４】  先述の従来の芯棒打ち込みアンカーボルト用ハンドホルダーを使用する場合、芯棒打ち込みアンカーボルトにあてがう部分から打ち棒の入る部分までが一定のストレートの円筒形のため、数をこなして作業する場合、ハンマーで打ち棒の頭を安定して叩き続けて施工することが困難となり、作業者自身がハンマーで違う部分を打ってしまい、例えば芯棒打ち込みアンカーボルトの芯棒が曲がることが有ったり、作業者自身の手を間違って打って怪我をするという欠点が有った。
【課題を解決するための手段】
【０００５】  上記課題を解決するために本考案は、複数の円筒形状から成る芯棒打ち込みアンカーボルト用ハンドホルダー（１）であって、下端面部（４）に有るＣ面形状（３）の下円筒部（２）の下部内径（５）は芯棒打ち込みアンカーボルト（１０）の調整ナット（１２）に被せた際にガタツキの無い一定の大きさで調整ナット（１２）を保持し、又下端面部（４）は、そのＣ面形状（３）でワッシャー（１１）を押さえるように形成され、更に調整ナット（１２）、ワッシャー（１１）及び雄ねじ（１３）全体を充分に覆うことの出来る高さを有するよう該下円筒部（２）は構成されており、一方の上端面部（６）においては、芯棒打ち込みアンカーボルト（１０）の芯棒（１４）の頭に打ち棒（２０）を当ててハンマーにて打ち込むための一定の上部内径（５Ａ）を有する打ち棒（２０）のためのガイド用円筒部（２Ａ）が設けられており、これら下円筒部（２）とガイド用円筒部（２Ａ）とが１０ｍｍから２０ｍｍの範囲内の長さのテーパー形状の円筒部（２Ｂ）で一体形成されていることを特徴とする。
【考案の効果】
【０００６】  本考案の芯棒打ち込みアンカーボルト用ハンドホルダーは以上のような構成であるから、ハンドホルダーとして簡単な構造で有りながら、下部内径で調整ナットをしっかりと保持し、更には下端面部に有るＣ面形状がワッシャーを押さえつけてくれるため、安定して芯棒をガイド用円筒部に挿入して打ち棒にて施工出来るものとなる。
又作業する場所が他の施工物などが有る狭い場所であっても上に高く打ち棒を出して芯棒を叩いて設置出来る優れたものとなる。【０００７】  特にワッシャー部分を抑える下端面部のＣ面形状の有る下円筒部が上円筒部に比べて大きな円筒形として形成されているので、コンクリートに下穴を開けて、先に芯棒打ち込みアンカーボルトを挿入しておいても安定して本案の芯棒打ち込みアンカーボルト用ハンドホルダーをコンクリート面上に置くことが出来る。この安定して置く事が出来ることで、数が多い設置現場での作業効率が上がるという非常に重要な副次的効果となる。
【図面の簡単な説明】
【０００８】
【図１】本考案の一実施形態を示す斜視図である。
【図２】本考案の図１のＡ−Ａ部の断面図である。
【図３】本考案の芯棒打ち込みアンカーボルト用ハンドホルダーが芯棒打ち込みアンカーボルトに被さる様子を示す一斜視図である。
【図４】本考案の芯棒打ち込みアンカーボルト用ハンドホルダーが芯棒打ち込みアンカーボルトに被さった状態を示す一正面図である。
【図５】本考案の図４の平面図である。
【図６】本考案の図５のＢ−Ｂ部の断面図である。
【図７】本考案の芯棒打ち込みアンカーボルト用ハンドホルダーを芯棒打ち込みアンカーボルトに被せ、打ち棒がガイド用円筒部に沿って挿入されいく様子を示す斜視図である。
【考案を実施するための形態】
【０００９】  本考案における芯棒打ち込みアンカーボルト用ハンドホルダーの大きさ、形状、円筒部の厚み、デザイン、材質、製造方法等は特に限定されないが施工物である芯棒打ち込みアンカーボルトのボルトの規格に合わせてその下部内径や下円筒部の大きさを決めれば良く、例えばＭ８であればそれに準じて大きさ、製品厚みを旋盤などの手段で作製すれば良い。
以下、実施側と図面に基づき説明する。
【実施側】
【００１０】  図１は、本考案の芯棒打ち込みアンカーボルト用ハンドホルダー（１）の斜視図であり、下端面部（４）から同一の径の下円筒部（２）が有り、一方上端面部（６）から同一の径のガイド用円筒部（２Ａ）が有り、これらの円筒部を約２０ｍｍの長さの間でテーパー形状の円筒部（２Ｂ）により一体形成されているのがわかる。
【００１１】  図２は図１のＡ−Ａ部の断面図を示しており、それぞれ一定の製品厚を有し、同一の径である下部内径（５）及び上部内径（５Ａ）とが２０ｍｍの長さのテーパー形状の円筒部（２Ｂ）で一体形成されているのがわかる。更に下端面部（４）において製品内側にＣ面形状（３）が形成されているのがわかる。
【００１２】  図３は、本考案の芯棒打ち込みアンカーボルト用ハンドホルダー（１）が芯棒打ち込みアンカーボルト（１０）に被さる様子を示しており、芯棒打ち込みアンカーボルト（１０）には下からワッシャー（１１）、調整ナット（１２）、雄ねじ（１３）更には打ち込み用の芯棒（１４）の存在が確認出来る。
【００１３】  図４は、本考案の芯棒打ち込みアンカーボルト用ハンドホルダー（１）が芯棒打ち込みアンカーボルト（１０）に被さった状態を示す正面図である。
【００１４】  図５は、本考案の図４の平面図を示しており、芯棒打ち込みアンカーボルト用ハンドホルダー（１）が円筒形で構成されていることが理解出来る。
【００１５】  図６は本考案の図５のＢ−Ｂ部の断面図を示しており、芯棒打ち込みアンカーボルト（１０）には下からワッシャー（１１）、調整ナット（１２）、雄ねじ（１３）更には打ち込み用の芯棒（１４）が有り、芯棒打ち込みアンカーボルト用ハンドホルダー（１）における下端面部（４）に有るＣ面形状（３）が、ワッシャー（１１）を押さえつけ、下円筒部（２）の下部内径（５）で調整ナット（１２）をしっかりと保持している様子を示している。
【００１６】  図７は、本考案の芯棒打ち込みアンカーボルト用ハンドホルダー（１）を芯棒打ち込みアンカーボルト（１０）に被せた後、打ち棒（２０）がガイド用円筒部（２Ａ）に沿って挿入されいく様子を示している。又、打ち棒（２０）挿入後、Ｃ方向からハンマーで打ち込んで芯棒打ち込みアンカーボルト（１０）の芯棒（１４）の頭を叩いて設置することとなる。
【産業上の利用の可能性】
【００１７】  本考案の芯棒打ち込みアンカーボルト用ハンドホルダーは、下部が太い内径を有する構造で有り、下部内径で調整ナットをしっかりと保持し、更には下端面部に有るＣ面形状がワッシャーを押さえつけてくれるため、安定して芯棒をガイド用円筒部に挿入して打ち棒にて施工出来、更には作業する場所が他の施工物などが有る狭い場所であっても上に高く打ち棒を出して芯棒を叩いて設置作業の出来るものとなる。
【符号の説明】
【００１８】１    芯棒打ち込みアンカーボルト用ハンドホルダー
２    下円筒部
２Ａ  ガイド用円筒部
２Ｂ  テーパー形状の円筒部
３    Ｃ面形状
４    下端面部
５    下部内径
５Ａ  上部内径
６    上端面部
１０  芯棒打ち込みアンカーボルト
１１  ワッシャー
１２  調整ナット
１３  雄ねじ
１４  芯棒
２０  打ち棒
【図１】
0003219996.tif 000003
【図２】
0003219996.tif 000004
【図３】
0003219996.tif 000005
【図４】
0003219996.tif 000006
【図５】
0003219996.tif 000007
【図６】
0003219996.tif 000008
【図７】
0003219996.tif 000009